(57)【要約】      （修正有）【課題】極めて簡単な形状である耳の形の矯正具を頭部側面と耳の裏面との間に介挿することで、他人に全く気付かれず使用でき、且つ徐々に両耳が顔の両側から好ましい角度に傾斜するように矯正を可能にしたものである。矯正具を附着するための格別の手術や装置は全く必要としない。また、極めて軽量な矯正具であり、落下することもなく、自由に使用できる耳の形の矯正具を提供する。【解決手段】頭部側面と耳の裏面との間に介挿して使用される耳の形の矯正具１であって、前記矯正具１は、耳を起立させる弾力性を有し、且つ中央折曲部２の外面に上下方向に沿って接着部３を有する左右二つ折りの細長い形状構成とした。【選択図】図１
0003166925.tif 000002
【実用新案登録請求の範囲】
【請求項１】
頭部側面と耳の裏面との間にそれぞれ介挿して使用される耳の形の矯正具であって、弾力性を持って耳を起立させ、中央折曲部の外方に上下方向に沿って接着部を有する細長い形状の耳の形の矯正具。
【考案の詳細な説明】
【技術分野】
【０００１】
本考案は、顔の左右にある耳の形の矯正具に関する。
【背景技術】
【０００２】
この考案の耳の形の矯正具は、東洋古来から伝わる顔相学と深い関係があり、顔相学上、左右の耳が扁平でぴったりと頭部側面に密着しているものは、勿論例外は多数あるが扁平耳と称され余り好ましいものとはされない、と伝われている。
他方、顔の両側にやや斜めに起立して部厚い形であれば福耳と云われ、顔相学上も好ましいとされている。
例えば、元宰相の佐藤栄作氏や中曽根康弘氏、田中角栄氏、松下幸之助氏は実に立派な福耳をお持ちであると云われており、顔相学の参考書に必ず幸運な人格者として挙げられている。
【０００３】
本考案者は長い間、顔相学、特に耳の形と人生の運、不運について比較研究を続けており、先に「耳圧迫防止機能を備えた枕」なる登録実用新案第３０５３２８７号を提供している。
前記考案は、乳幼児，子供は、就寝姿勢が慣性によって一方向の横向き状態で耳を圧迫した状態で就寝することが多く、このような就寝姿勢では、発育期の幼児などは耳の形状が変形してしまったり、生まれながらに変形していて耳の形状がそのまま固定されることで、耳の内部機能に障害を与える等の問題点があった。
【０００４】
そこで、子供、乳幼児等が就寝中に枕と頭部の重みによって耳が挟まれ、本来は適度に傾斜して顔相学上も福耳と云われるものが、いつしか耳が扁平に頭部両側に密着してしまう弊害を防止しようとするものである。
【０００５】
人間の耳は、顔の全体の縮図とも云われ、耳を上から三等分した時、上部は額、中間は目、下部は顎と結びつきがあり、耳の上部は知性、中間は感情、下部は意識力を表しており、耳が巨大な人は、行動力と判断力に優れ、意思の強い人であり、運に恵まれると云われるほどであって、人間の耳は非常に大切な箇所である。
【先行技術文献】
【特許文献】
【０００６】
【特許文献１】登録実用新案第３０５３２８７号公報
【考案の概要】
【考案が解決しようとする課題】
【０００７】
しかしながら、すでに成人に達し、正常に傾きのある両耳を有しない多数の人間も多くおられるわけで、本考案は極めて簡単な形状である耳の形の矯正具を頭部側面と耳の裏面との間に介挿することで、他人に全く気付かれず使用でき、且つ徐々に両耳が顔の両側から好ましい角度に傾斜するように矯正を可能にしたものである。
本考案は、矯正具を附着するための格別の手術や装置は全く必要としない。また、極めて軽量な矯正具であり、落下することもなく、自由に使用できる耳の形の矯正具を提供することを目的とするものである。
【課題を解決するための手段】
【０００８】
上記目的を達成するために、請求項１の考案は頭部側面と耳の裏面との間にそれぞれ介挿して使用される耳の形の矯正具であって、弾力性を持って耳を起立させ、中央折曲部の外方上下方向に沿って接着部を有する細長い形状の耳の形の矯正具としたことを特徴とする。
【考案の効果】
【０００９】
本考案すでに成人に達し、正常に傾きのある両耳を有しない人のために、極めて簡単な形状の耳の形の矯正具を頭部側面と耳の裏面との間に介挿することで、他人に全く気付かれず使用でき、且つ徐々に両耳が顔の両側から好ましい角度に傾斜するように矯正が可能にしたものであり、且つ矯正具を附着するための格別の手術や装置は全く必要としない。
【００１０】
また、極めて軽量な矯正具であり、落下することもなく、自由に使用できる耳の形の矯正具を提供する効果がある。
更に本考案の矯正具を長く使用することで耳が起立し、左右同形を保ち、大きく見え、福相となり、又人との会話や物音を拡声して伝わりもし、その結果人間に自信を与え、行動が万事積極的となり、運命に好影響をもたらす効果を奏するものである。
【図面の簡単な説明】
【００１１】
【図１】本考案の左右の一対の耳の形の矯正具に係る実施の形態における全体斜視図で、（Ａ）は左用矯正具、（Ｂ）は右用矯正具である。
【図２】本考案の左右の一対の耳の形の矯正具に係る実施の形態における全体斜視ずで、（Ａ）は展開した状態の左用矯正具、（Ｂ）は展開した状態の右用矯正具である。
【図３】本考案の耳の形の矯正具を人間の耳に使用する以前の顔面正面図である。
【図４】本考案の耳の形の矯正具を人間の耳に使用している状態を示し、（Ａ）は顔面正面図、（Ｂ）は顔面側面図である。
【考案を実施するための最良の形態】
【００１２】
次に、本考案に係る耳の形の矯正具の実施の形態について、図面を参照して説明する。
なお、本考案の、以下に説明する実施の形態に限定されるものではない。
【００１３】
本考案に係る耳の形の矯正具１は、弾力性を有するプラスチック材、或いは薄手の軽量ウレタン材などで左右二つ折りにし、外方の広がる方向に弾力を有する折曲部２を備えた上下に細長い形状としたものである。
【００１４】
前記矯正具１は前記折曲部２の外面中央に３〜５ｍｍの帯状の接着部３を有している。
この二つ折りした矯正具１は一方が耳の形に沿って斜めに切り込み４を有しており、左右の耳５に適応するようにそれぞれ対称形状に形成されている。
また、前記接着部３は頭部側面と耳５の裏面との間に介挿附着するためのものであるから、皮膚にかぶれなどの損傷を起こさないような接着剤を使用することが望ましい。
【００１５】
また、上述のように前記矯正具１は、中央部で左右に軽く弾力的に折曲部２が形成されており、頭部側面と耳５の裏面との間に介挿附着した場合、耳５の裏面側の背部を弾力的に傾斜支持し、耳を起こす役目をするから、弾力を失わずに柔軟に屈伸して耳を支持するようになっている。
【００１６】
このように、本考案によれば、日常両耳の背面に介挿して使用するから、耳の形は、徐々に起立して矯正され顔の正面からみたとき、顔相は引き立ち、凛とした顔立ちとなり、人相が一段と立派に見え、その結果、自信が付くことは疑いがない。
【００１７】
人間の自信はホンの一寸したことが原因である。ホクロやシミが数箇所顔についているというだけで自信を失い、引き込み思案になるのは良くあることである。
【００１８】
更に本考案の矯正具を長く使用することで耳が起立し、左右同形を保ち、大きく見え、福相となり、又人との会話や物音を拡声して伝わりもし、その結果人間に自信を与え、行動が万事積極的となり、運命に好影響をもたらすのである。
【符号の説明】
【００１９】
１      矯正具
２      折曲部
３      接着部
４      切込み
【図１】
0003166925.tif 000003
【図２】
0003166925.tif 000004
【図３】
0003166925.tif 000005
【図４】
0003166925.tif 000006
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
頭部側面と耳の裏面との間にそれぞれ介挿して使用される耳の形の矯正具であって、前記矯正具は、弾力性部材により上下に細長い形状の左，右２つ折り状に形成され且つ外方に広がる方向に弾力を有する中央折曲部を有し、前記左，右の中央折曲部のそれぞれの外方面には上下方向に沿ってそれぞれ接着部を設け、該接着部を頭部側面と耳の裏面にそれぞれ接着できるようにしたことを特徴とする耳の形の矯正具。
【手続補正２】
【補正対象書類名】明細書
【補正対象項目名】全文
【補正方法】変更
【補正の内容】
【考案の詳細な説明】
【技術分野】
【０００１】
本考案は、顔の左右にある耳の形の矯正具に関する。
【背景技術】
【０００２】
この考案の耳の形の矯正具は、東洋古来から伝わる顔相学と深い関係があり、顔相学上
、左右の耳が扁平でぴったりと頭部側面に密着しているものは、勿論例外は多数あるが扁平耳と称され余り好ましいものとはされない、と云われている。
他方、顔の両側にやや斜めに起立して部厚い形であれば福耳と云われ、顔相学上も好ましいとされている。
例えば、元宰相の佐藤栄作氏や中曽根康弘氏、田中角栄氏、松下幸之助氏は実に立派な福耳をお持ちであると云われており、顔相学の参考書に必ず幸運な人格者として挙げられている。
【０００３】
本考案者は長い間、顔相学、特に耳の形と人生の運、不運について比較研究を続けており
、先に「耳圧迫防止機能を備えた枕」なる登録実用新案第３０５３２８７号を提供している。
前記考案は、乳幼児，子供は、就寝姿勢が慣性によって一方向の横向き状態で耳を圧迫した状態で就寝することが多く、このような就寝姿勢では、発育期の幼児などは耳の形状が変形してしまったり、生まれながらに変形していて耳の形状がそのまま固定されることで
、耳の内部機能に障害を与える等の問題点があった。
【０００４】
そこで、子供、乳幼児等が就寝中に枕と頭部の重みによって耳が挟まれ、本来は適度に傾斜して顔相学上も福耳と云われるものが、いつしか耳が扁平に頭部両側に密着してしまう弊害を防止しようとするものである。
【０００５】
人間の耳は、顔の全体の縮図とも云われ、耳を上から三等分した時、上部は額、中間は目
、下部は顎と結びつきがあり、耳の上部は知性、中間は感情、下部は意識力を表しており
、耳が巨大な人は、行動力と判断力に優れ、意思の強い人であり、運に恵まれると云われるほどであって、人間の耳は非常に大切な箇所である。
【先行技術文献】
【特許文献】
【０００６】
【特許文献１】登録実用新案第３０５３２８７号公報
【考案の概要】
【考案が解決しようとする課題】
【０００７】
しかしながら、すでに成人に達し、正常に傾きのある両耳を有しない多数の人間も多くおられるわけで、本考案は極めて簡単な形状である耳の形の矯正具を頭部側面と耳の裏面との間に介挿することで、他人に全く気付かれず使用でき、且つ徐々に両耳が顔の両側から好ましい角度に傾斜するように矯正を可能にしたものである。
本考案は、矯正具を附着するための格別の手術や装置は全く必要としない。また、極めて軽量な矯正具であり、落下することもなく、自由に使用できる耳の形の矯正具を提供することを目的とするものである。
【課題を解決するための手段】
【０００８】
上記目的を達成するために、請求項１の考案は頭部側面と耳の裏面との間にそれぞれ介挿して使用される耳の形の矯正具であって、前記矯正具は、弾力性部材により上下に細長い形状の左，右２つ折り状に形成され且つ外方に広がる方向に弾力を有する中央折曲部を有し、前記左，右の中央折曲部のそれぞれの外方面には上下方向に沿ってそれぞれ接着部を設け、該接着部を頭部側面と耳の裏面にそれぞれ接着できるようにした耳の形の矯正具としたことを特徴とする。
【考案の効果】
【０００９】
本考案すでに成人に達し、正常に傾きのある両耳を有しない人のために、極めて簡単な形状の耳の形の矯正具を頭部側面と耳の裏面との間に介挿することで、他人に全く気付かれず使用でき、且つ徐々に両耳が顔の両側から好ましい角度に傾斜するように矯正が可能にしたものであり、且つ矯正具を附着するための格別の手術や装置は全く必要としない。
【００１０】
また、極めて軽量な矯正具であり、落下することもなく、自由に使用できる耳の形の矯正具を提供する効果がある。
更に本考案の矯正具を長く使用することで耳が起立し、左右同形を保ち、大きく見え、福相となり、又人との会話や物音を拡声して伝わりもし、その結果人間に自信を与え、行動が万事積極的となり、運命に好影響をもたらす効果を奏するものである。
【図面の簡単な説明】
【００１１】
【図１】本考案の左右の一対の耳の形の矯正具に係る実施の形態における全体斜視図で、（Ａ）は左用矯正具、（Ｂ）は右用矯正具である。
【図２】本考案の左右の一対の耳の形の矯正具に係る実施の形態における全体斜視図で、（Ａ）  は展開した状態の左用矯正具、  （Ｂ）は展開した状態の右用矯正具である。
【図３】本考案の耳の形の矯正具を人間の耳に使用する以前の顔面正面図である。
【図４】本考案の耳の形の矯正具を人間の耳に使用している状態を示し、（Ａ）は顔面正面図、（Ｂ）は顔面側面図である。
【考案を実施するための最良の形態】
【００１２】
次に、本考案に係る耳の形の矯正具の実施の形態について、図面を参照して説明する。なお、本考案の、以下に説明する実施の形態に限定されるものではない。
【００１３】
本考案に係る耳の形の矯正具１は、弾力性を有するプラスチック材、或いは薄手の軽量ウレタン材などで左右二つ折りにし、外方の広がる方向に弾力を有する中央折曲部２を備えた上下に細長い形状としたものである。
【００１４】
前記矯正具１は前記中央折曲部２の外面中央に３〜５ｍｍの帯状の接着部３を有している。
この二つ折りした矯正具１は一方が耳の形に沿って斜めに切り込み４を有しており、左右の耳５に適応するようにそれぞれ対称形状に形成されている。
また、前記接着部３は頭部側面と耳５の裏面との間に介挿附着するためのものであるから
、皮膚にかぶれなどの損傷を起こさないような接着剤を使用することが望ましい。
【００１５】
また、上述のように前記矯正具１は、中央部で左右に開くように弾力的に中央折曲部２が形成されており、頭部側面と耳５の裏面との間に介挿附着した場合、耳５の裏面側の背部を弾力的に傾斜支持し、耳を起こす役目をするから、弾力を失わずに柔軟に屈伸して耳を支持するようになっている。
【００１６】
このように、本考案によれば、日常両耳の背面に介挿して使用するから、耳の形は、徐
々に起立して矯正され顔の正面からみたとき、顔相は引き立ち、凛とした顔立ちとなり、人相が一段と立派に見え、その結果、自信が付くことは疑いがない。
【００１７】
人間の自信はホンの一寸したことが原因である。ホクロやシミが数箇所顔についているというだけで自信を失い、引き込み思案になるのは良くあることである。
【００１８】
更に本考案の矯正具を長く使用することで耳が起立し、左右同形を保ち、大きく見え、福相となり、又人との会話や物音を拡声して伝わりもし、その結果人間に自信を与え、行動が万事積極的となり、運命に好影響をもたらすのである。
【符号の説明】
【００１９】
１      矯正具
２      中央折曲部
３      接着部
４      切込み